(57)【要約】【課題】  セキュリティ機能を維持し、且つ、認証作業に対してユーザが感ずる煩わしさ低減した画像形成装置を提供すること。【解決手段】  入力操作手段と、認証情報入力手段と、入力された個人情報と、入力された認証情報とを基に、ユーザ登録ファイルを作成するユーザ登録手段と、入力された認証情報と、前記ユーザ登録ファイルとから、ユーザ認証を行うユーザ認証手段と、ユーザが目的とする画像形成動作を実行させるための複数の動作モードとを有する画像形成装置であって、画像形成装置の使用に先立って、ユーザに前記認証情報入力手段による認証情報の入力を要求して、前記ユーザ認証手段によりユーザ認証されたユーザには、全動作モードの使用を許可し、ユーザ認証されなかったユーザに対しては、使用できる動作モードを限定するように制御する制御手段を有することを特徴とする画像形成装置。【選択図】        図４
2005345860.tif 000002
【特許請求の範囲】
【請求項１】
文字、数字、符号を入力する入力操作手段と、
認証情報を入力する認証情報入力手段と、
前記入力操作手段を用いて入力された個人情報と、前記認証情報入力手段を用いて入力された認証情報とを基に、ユーザ登録ファイルを作成するユーザ登録手段と、
前記認証情報入力手段により入力された認証情報と、前記ユーザ登録ファイルとから、ユーザ認証を行うユーザ認証手段と、
ユーザが目的とする画像形成動作を実行させるための複数の動作モードとを
有する画像形成装置であって、
画像形成装置の使用に先立って、ユーザに前記認証情報入力手段による認証情報の入力を要求して、
前記ユーザ認証手段によりユーザ認証されたユーザには、全動作モードの使用を許可し、
ユーザ認証されなかったユーザに対しては、使用できる動作モードを限定するように制御する制御手段を有することを特徴とする画像形成装置。
【請求項２】
文字、数字、符号を入力する入力操作手段と、
認証情報を入力する認証情報入力手段と、
前記入力操作手段を用いて入力された個人情報と、前記認証情報入力手段を用いて入力された認証情報とを基に、ユーザ登録ファイルを作成するユーザ登録手段と、
前記認証情報入力手段により入力された認証情報と、前記ユーザ登録ファイルとから、ユーザ認証を行うユーザ認証手段と、
ユーザが実行した画像形成作業の内容を識別する作業内容識別手段と、
前記作業内容識別手段により得た作業内容を、ユーザ毎に記録した利用記録ファイルを作成する利用記録作成手段と、
前記利用記録ファイルの内容を、ユーザ毎に削除できる利用記録削除手段とを設け、
前記利用記録ファイル内に、予め設定した内容の作業を実行したことが記録されていた場合には、当該のユーザの記録を、前記利用記録削除手段により削除できないように制御する制御手段を有することを特徴とする画像形成装置。
【請求項３】
文字、数字、符号を入力する入力操作手段と、
認証情報を入力する認証情報入力手段と、
前記入力操作手段を用いて入力された個人情報と、前記認証情報入力手段を用いて入力された認証情報とを基に、ユーザ登録ファイルを作成するユーザ登録手段と、
前記認証情報入力手段により入力された認証情報と、前記ユーザ登録ファイルとから、ユーザ認証を行うユーザ認証手段と、
ユーザが実行した画像形成作業の内容を識別する作業内容識別手段と、
を有する画像形成装置であって、
前記作業内容識別手段による識別が終了するまで、前記認証情報入力手段に入力された認証情報を未加工のままの状態で保持して、
識別された作業内容が、予め設定されている特定の作業内容であった場合には、保持されていた前記認証情報を、予め設けたファイルに保存するように制御する
制御手段を有することを特徴とする画像形成装置。
【請求項４】
前記作業内容識別手段は、画像形成装置により有価物のコピーを作成したか否かを判定できる機能を有することを特徴とする請求項３に記載の画像形成装置。
【請求項５】
前記認証情報が生体情報であることを特徴とする請求項１〜４のいずれか一項に記載の画像形成装置。
【発明の詳細な説明】
【技術分野】
【０００１】
本発明は、使用者の認証を行うための認証手段を有する複写機、プリンタ、ファックス等の画像形成装置、もしくは、それらの各機能を合わせ持つ画像形成装置に関する。
【背景技術】
【０００２】
カラーコピーを作成するための技術、及び通信技術の進歩により、画像形成装置のコピー画質が向上し、また、装置の多機能化も進んだが、これに伴い、画像形成装置を用いた有価物の偽変造をはじめ、不正行為も増えつつある。
【０００３】
これらの不正行為を防止するために、画像形成装置のユーザを、予め登録しておき、認証手段により登録された人物であると認証されたユーザに対してのみ、装置の使用を許可したり、あるいは、認証されたユーザ毎に使用できる機能を制限できるようにした画像形成装置に関わる提案もある（例えば、特許文献１参照。）。また、有価物の有する画像の特徴点を予め画像形成装置に記憶させておき、この特徴点に類似した画像形成が行われようとした時には、コピーの出力を禁止して、その作業を実行使用としたユーザに関わる記録を保存するという提案もある（例えば、特許文献２参照。）。
【０００４】
登録されているユーザであることを画像形成装置に認証させるための、ユーザが行う認証情報の入力方法としては、ＩＤ番号、パスワードを画像形成装置の入力操作手段であるキーボードにより入力する方法や、予め準備した認証用のカードをカード読み取り機に読ませる方法、人差し指を指紋読み取り装置に接触させて、生体情報を読ませる方法等が一般的に採用されている。
【０００５】
ところが、一般的に、セキュリティを向上させようとすると、それに伴って使い勝手が悪くなるという弊害も生ずるようになってきた。例えば、ユーザがＩＤ番号やパスワードを忘れたり、認証用のカードを持参しなかったり、使用する資格は有しているが、ユーザとしての登録を完了していなかった場合に、直ぐには画像形成装置を使用できないことがあり得る。
【０００６】
一般に、画像形成装置で実行される画像形成作業の多くは、セキュリティの点からは、問題にする必要のないものであり、上述したような認証作業は、多くのユーザに対し、煩わしさを感じさせることが多い。
【特許文献１】特開２０００−２７６０１８号公報（第１頁）
【特許文献２】特開平６−８６０６２号公報（第２頁）
【発明の開示】
【発明が解決しようとする課題】
【０００７】
本発明は、セキュリティ機能を維持し、且つ、上述したような認証作業に対してユーザが感ずる煩わしさ低減した画像形成装置を提供しようとするものである。
【課題を解決するための手段】
【０００８】
上記課題は、以下の項目を実現することにより達成される。
（１）文字、数字、符号を入力する入力操作手段と、
認証情報を入力する認証情報入力手段と、
前記入力操作手段を用いて入力された個人情報と、前記認証情報入力手段を用いて入力された認証情報とを基に、ユーザ登録ファイルを作成するユーザ登録手段と、
前記認証情報入力手段により入力された認証情報と、前記ユーザ登録ファイルとから、ユーザ認証を行うユーザ認証手段と、
ユーザが目的とする画像形成動作を実行させるための複数の動作モードとを
有する画像形成装置であって、
画像形成装置の使用に先立って、ユーザに前記認証情報入力手段による認証情報の入力を要求して、
前記ユーザ認証手段によりユーザ認証されたユーザには、全動作モードの使用を許可し、
ユーザ認証されなかったユーザに対しては、使用できる動作モードを限定するように制御する制御手段を有することを特徴とする画像形成装置。
（２）文字、数字、符号を入力する入力操作手段と、
認証情報を入力する認証情報入力手段と、
前記入力操作手段を用いて入力された個人情報と、前記認証情報入力手段を用いて入力された認証情報とを基に、ユーザ登録ファイルを作成するユーザ登録手段と、
前記認証情報入力手段により入力された認証情報と、前記ユーザ登録ファイルとから、ユーザ認証を行うユーザ認証手段と、
ユーザが実行した画像形成作業の内容を識別する作業内容識別手段と、
前記作業内容識別手段により得た作業内容を、ユーザ毎に記録した利用記録ファイルを作成する利用記録作成手段と、
前記利用記録ファイルの内容を、ユーザ毎に削除できる利用記録削除手段とを設け、
前記利用記録ファイル内に、予め設定した内容の作業を実行したことが記録されていた場合には、当該のユーザの記録を、前記利用記録削除手段により削除できないように制御する制御手段を有することを特徴とする画像形成装置。
（３）文字、数字、符号を入力する入力操作手段と、
認証情報を入力する認証情報入力手段と、
前記入力操作手段を用いて入力された個人情報と、前記認証情報入力手段を用いて入力された認証情報とを基に、ユーザ登録ファイルを作成するユーザ登録手段と、
前記認証情報入力手段により入力された認証情報と、前記ユーザ登録ファイルとから、ユーザ認証を行うユーザ認証手段と、
ユーザが実行した画像形成作業の内容を識別する作業内容識別手段と、
を有する画像形成装置であって、
前記作業内容識別手段による識別が終了するまで、前記認証情報入力手段に入力された認証情報を未加工のままの状態で保持して、
識別された作業内容が、予め設定されている特定の作業内容であった場合には、保持されていた前記認証情報を、予め設けたファイルに保存するように制御する
制御手段を有することを特徴とする画像形成装置。
（４）前記作業内容識別手段は、画像形成装置により有価物のコピーを作成したか否かを判定できる機能を有することを特徴とする（３）項に記載の画像形成装置。
（５）前記認証情報が生体情報であることを特徴とする（１）〜（４）のいずれか一項に記載の画像形成装置。
【発明の効果】
【０００９】
請求項１に記載の発明によれば、セキュリティ確保の点から問題のない画像形成装置の機能を使用する場合には、パスワード等の入力、あるいは、カード等を用いた認証のための入力が無くても、全てのユーザが画像形成装置を使用することができるので、セキュリティの点から問題のない多くの作業における、ユーザの感ずる煩わしさが低減される。
【００１０】
請求項２に記載の発明によれば、予め設定した特定の画像を入力、もしくは出力したユーザの記録が、定常的な記録消去操作により消去されることが無く、不正行為が発生した場合の証拠保全がなされる。
【００１１】
請求項３に記載の発明によれば、ユーザ認証に使用された入力情報がそのまま保存されるので、認証結果のみよりも、より証拠能力の高い情報が保全される。
【００１２】
請求項４に記載の発明によれば、紙幣、証券等の有価物の複写にかかわる不正行為を抑制することができる。
【００１３】
請求項５に記載の発明によれば、他人になりすましたユーザの不正行為が抑制される。
【発明を実施するための最良の形態】
【００１４】
以下、図面に基づき本発明の実施の形態を説明する。
【００１５】
図１は、複写機、プリンタ、ファックスの複合機能を有する画像形成装置の概念図である。
【００１６】
図の画像形成装置ＧＳは、その上部に自動原稿送り装置ＡＤＦを備えている。
【００１７】
自動原稿送り装置ＡＤＦの原稿載置台１０１に載置された原稿Ｄは、一枚ずつに分離され原稿搬送路に送り出され、搬送ドラム１０２により搬送される。搬送されている原稿Ｄの原稿画像は原稿画像読み取り位置ＲＰにて原稿読み取り手段１により、読み取りがなされる。読み取りが終了した原稿Ｄは第１搬送ガイドＧ１、および原稿排出ローラ１０５により原稿排紙台１０７に排出される。
【００１８】
原稿Ｄの裏面の原稿画像も読み取る場合には、表面（第１面）の読み取りを終えた原稿Ｄを第１搬送ガイドＧ１により原稿反転ローラ１０６に導き、原稿Ｄの後端を挟持した状態から反転する前記原稿反転ローラ１０６によって、第１搬送ガイドＧ１、第２搬送ガイドＧ２を経由して、再度、原稿搬送路に送り出す。反転して送り出された原稿Ｄの裏面（第２面）は、表面（第１面）と同様に読み取りがなされた後、原稿排紙台１０７に排出される。
【００１９】
画像形成装置ＧＳは、原稿読み取り手段１、画像書き込み手段２Ｙ、２Ｍ、２Ｃ、２Ｋ、画像形成手段３Ｙ、３Ｍ、３Ｃ、３Ｋ、画像転写手段４、定着手段５、反転排紙手段６、再給紙手段７、給紙手段８、入力操作手段９、認証情報入力手段Ａ、制御手段Ｃ１等から構成される。
【００２０】
原稿読み取り手段１は、原稿画像を原稿読み取り位置ＲＰにてランプＬで照射して、その反射光を第１ミラーユニット１１、第２ミラーユニット１２、レンズ１３によって導き、撮像素子ＣＣＤの受光面に結像させる。撮像素子ＣＣＤにより光電変換された画像信号は、画像読み取り制御部１４にてＡ／Ｄ変換、シェーディング補正、圧縮等の処理が施されて、制御手段Ｃ１のメモリＭ１に原稿画像データとしてストアされる。
【００２１】
メモリＭ１にストアされた前記原稿画像データには、ユーザの指定により、もしくは設定されている条件により適宜な画像処理がなされて、出力画像データが作成される。
【００２２】
画像書き込み手段２Ｙ、２Ｍ、２Ｃ、２Ｋは、前記出力画像データを基に、レーザ光源、ポリゴンミラー、複数のレンズから作られるレーザビームにより、画像形成手段３Ｙ、３Ｍ、３Ｃ、３Ｋの構成要素である感光体３１Ｙ、３１Ｍ、３１Ｃ、３１Ｋの表面に走査露光を行い、感光体３１Ｙ、３１Ｍ、３１Ｃ、３１Ｋに潜像を形成する。
【００２３】
画像形成手段３Ｙは、感光体３１Ｙの周辺に、帯電手段３２Ｙ、現像手段３３Ｙ、第１転写ローラ３４Ｙ、クリーニング手段３５Ｙを配置したもので、画像形成手段３Ｍ、３Ｃ、３Ｋも同様に構成されている。これらの構成は、電子写真方式のカラー画像形成装置に採用されている公知の技術からなる。
【００２４】
感光体３１Ｙ、３１Ｍ、３１Ｃ、３１Ｋ上に形成された潜像は、対応する現像手段３３Ｙ、３３Ｍ、３３Ｃ、３３Ｋにより現像されて、各感光体上にはトナー画像が形成される。
【００２５】
画像転写手段４は、感光体３１Ｙ、３１Ｍ、３１Ｃ、３１Ｋ上に形成された前記トナー画像を第１転写ローラ３５Ｙ、３５Ｍ、３５Ｃ、３５Ｋにより、転写ベルト４１上の所定位置に逐次転写して、前記転写ベルト４１上に転写した前記トナー画像を、給紙手段８から給紙され、給紙ローラ８１によって給紙のタイミングが取られて給送されてきた転写材である用紙Ｐに、第２転写ローラ４２によって転写する。
【００２６】
トナー画像の用紙Ｐへの転写を終えた転写ベルト４１はクリーニング手段４３により、表面が清掃され、次の画像転写に供される。
【００２７】
定着手段５は、対向して配置した加圧ローラと、加熱ローラとにより、トナー画像を担持した用紙Ｐを、加圧加熱して、トナー画像を用紙Ｐへ定着する。
【００２８】
定着手段５による定着処理を終えた用紙Ｐは排紙反転手段６により搬送され、排紙台６１に排紙される。用紙Ｐを表裏反転して排紙する場合には、排紙ガイド６２にて、一旦、用紙Ｐを下方に導き、排紙反転ローラ６３に用紙Ｐの後端を挟持させた後、これを逆転をさせ、排紙ガイド６２により排紙ローラ６４に導き排紙する。
【００２９】
なお、用紙Ｐの裏面にも画像形成を行う場合には、表面の画像定着を終えた用紙Ｐを排紙ガイド６２により下方にある再給紙手段７に搬送し、再給紙反転ローラ７１により後端を挟持させた後、逆送することによって用紙Ｐを反転させて、再給紙搬送路７２に送り出し、裏面への画像形成に供する。
【００３０】
入力操作手段９は、液晶表示パネルと透明電極シートにより構成されるタッチパネルと称されるもので、表示機能と入力機能を有する公知の手段である。
【００３１】
認証情報入力手段Ａは、指紋を画像情報として取り込む指紋読み取り手段であり、公知の手段である。
【００３２】
図２は、画像形成装置の制御関係を示すブロック図である。
【００３３】
画像形成装置ＧＳにある制御手段Ｃ１は、ＣＰＵ（ＣＰＵ１）、メモリＭ１、Ｉ／Ｏポート、通信用インターフェイス、各手段を駆動制御するための回路を有するコンピュータシステムである。また、自動原稿送り装置ＡＤＦにある制御手段Ｃ２も、規模は小さいが同様のコンピュータシステムである。上記の制御手段Ｃ１と制御手段Ｃ２とは、第１通信手段Ｔ１にて接続されている。また、第２通信手段Ｔ２により通信用ネットワークに接続されており、他の装置との情報交換が可能となっている。なお、本図では、本発明の説明に直接関係しないブロック、及び、図による説明を必要としないソフトウエアに関わるブロックの記載を省略してある。
【００３４】
図３は、ユーザ登録ファイルにユーザを登録するソフトウエアであるユーザ登録手段の流れを説明するフローチャートである。
【００３５】
タッチパネルである入力操作手段９により、ユーザ登録モードが選択されると（ステップＳ１）、タッチパネル面上には、ユーザ登録をしようとするユーザに、認証情報入力手段Ａに右手の人差し指、あるいは、ユーザが認証に使用する指を乗せるように誘導するメッセージが表示される（ステップＳ２）。ユーザはメッセージに従って、認証情報入力手段Ａの所定の位置に指を乗せる（ステップＳ３）。認証のための画像情報が前記認証情報入力手段Ａにより取得され、制御手段Ｃ１のメモリＭ１に格納されているソフトウエアである認証情報取得手段により認証情報が得られると、取得「ＯＫ」の表示がタッチパネル面に表示され（ステップＳ４：Ｙ）、ユーザ名の入力を促すメッセージが現れる（ステップＳ５）。
【００３６】
ユーザは入力操作手段９によりユーザを特定する個人情報、例えば、従業員番号等のＩＤ番号を入力する（ステップＳ６）。
【００３７】
前記認証情報と個人情報は一対の情報とされ、メモリＭ１の所定のエリアに予め設けられているユーザ登録ファイルに登録される（ステップＳ７）。
【００３８】
画像形成装置ＧＳの管理者は、装置がユーザの使用に供される前に、予め、管理者登録モードを選択することにより、上述したユーザ登録モードと同様な手順で実行される管理者登録手段により管理者登録ファイルに登録される。
【００３９】
前記管理者登録ファイルに登録された管理者は、前記ユーザ名である個人情報に対応して、各ユーザが使用できる画像形成装置ＧＳの動作モードを限定できる。
【００４０】
使用できる動作モードの限定は、前記管理者が、ソフトウエアである使用モード限定手段を実行させて、前記ユーザ登録ファイルに登録されている各ユーザ毎に、許されるセキュリティーレベルを付与することにより行われる。
【００４１】
例えば、高いセキュリティーレベルであるレベル１の動作モードとしては、フルカラーコピー、通信手段を通じての外部へのデータ転送の動作モードを設定して、特にセキュリティーを考慮しなくても良いレベルであるレベル２の動作モードとしては、モノクロのコピーを設定する。
【００４２】
ユーザは、自分に付与されているセキュリティーレベル以下の機能を使用することができる。即ち、レベル１を付与されているユーザは全ての機能を使用することができるが、レベル２を付与されているユーザ、及び、登録されていないユーザは、モノクロのコピー機能しか使用できないようにする。あるいは、登録されているユーザは全てレベル１が付与されているようにしてもよい。
【００４３】
図４は、ユーザが画像形成装置ＧＳの入力操作手段９を用いて、使用する動作モードを選択してから、ユーザ認証手段によりユーザ認証がなされ、使用許可される動作モードが決定されるまでの流れを示すフローチャートである。
【００４４】
先ず、ユーザは、目的とする作業を実行させるための動作モードを入力手段９により選択する（ステップＳ１０）。本例では、セキュリティーレベルを２段階に分け、第１のレベルは高く、第２のレベルは低く設定されている。また、前記第２のレベルは、画像形成装置ＧＳを使用としている全てのユーザに許可される。なお、セキュリティーレベルの段階数と、各段階で許される動作モードは、予め、適宜に設定されるもので、本例に制限されるものではない。
【００４５】
選択された動作モードがセキュリティーレベルの低いレベル２に含まれるものであれば、許可動作モードテーブルにレベル２で使用できる限定された動作モードを設定する（ステップＳ１２）。
【００４６】
なお、前記許可動作モードテーブルは、画像形成装置ＧＳの作動時に参照されるもので、許可されている範囲の動作モードでのみ作動するように制御がなされる。
【００４７】
もし、選択された動作モードがセキュリティーレベル１のレベルであれば（ステップＳ１１：Ｙ）、ユーザに入力操作手段９により、認証情報入力手段Ａから認証情報を入力するように促すメッセージが表示される（ステップＳ１３）。認証情報入力手段Ａから認証情報、例えば指紋情報が入力されると（ステップＳ１４）、ユーザ認証手段によりユーザ認証がなされる（ステップＳ１５）。もし、ユーザとしてユーザ登録ファイルに登録されていなければ（ステップＳ１５：Ｎ）、レベル２で許される動作モードの使用のみを許可して（ステップＳ１２）、もし、ユーザとして登録されていた場合には（ステップＳ１６：Ｙ）、前記許可モードテーブルに、レベル１として許可されている全動作モードの使用を許可する設定をする（ステップＳ１７）。
【００４８】
なお、上述のユーザ認証手段は、予めユーザ登録ファイルに登録されている認証情報と、ユーザが画像形成装置の利用時に認証情報入力手段Ａにより入力した認証情報とを照合して、ユーザを特定するソフトウエアで公知の技術手段である。
【００４９】
図５は、ユーザが認証情報入力手段Ａにより入力した加工前の認証情報、例えば、指紋情報であった場合には、入力された画像を、有価物のコピーのように予め登録されている特定作業が実行された場合に保存する流れを示すフローチャートである。
【００５０】
ユーザにより認証情報入力手段Ａにより認証情報が入力されると（ステップＳ２０）、入力された加工前の認証情報、例えば指紋の特徴点抽出に使用する原画像を、ユーザ認証手段に送ると共に、一時ファイルに保存する（ステップＳ２１）。既に説明したように、ユーザ認証がなされ（ステップＳ２２）、画像形成作業が実行されると（ステップＳ２３）、実行された画像形成作業が、作業内容識別手段により予め設定された特定作業であるか否かが判定される（ステップＳ２４）。もし、特定作業ではないと判定された場合には（ステップＳ２４：Ｎ）、前記一時ファイルに保存した加工前の認証情報を削除する。もし、特定作業であると判定された場合には（ステップＳ２４：Ｙ）、前記一時ファイルに保存した加工前の認証情報を、ユーザ名と共に所定のファイルに保存して（ステップＳ２５）、一時ファイルの内容を削除する（ステップＳ２６）。
【００５１】
なお、前記作業内容識別手段は、有価物のコピーを作成する画像形成作業であるか否かを識別するソフトウエアで公知の技術である。
【００５２】
図６は利用記録作成手段により、利用記録ファイルにユーザ名と実行した画像形成作業の内容を記録して、実行された画像形成作業が特定作業である記録の場合には、管理者による定常的な削除処理により記録の削除がなされないようにする処理を示す、フローチャートである。
【００５３】
ユーザ認証がなされ（ステップＳ３０）、画像形成作業がなされると（ステップＳ３１）、ソフトウエアである利用記録作成手段によって、ユーザ名と、実行した画像形成作業内容、日時が利用記録ファイルに記録される（ステップＳ３２）。記録した作業内容が予め設定した特定の作業内容であった場合には、前記利用記録ファイルに記録された当該の記録に削除禁止のフラグをセットする（Ｓ３４）。これにより、管理者による定常的な削除処理による記録の削除を防止する。
【００５４】
以上の説明にて明らかなように、全てのユーザは、特別な認証動作をせずに、セキュリティーの点から問題のない画像形成作業を行うことができるので、認証作業の煩わしさが不要となる。また、セキュリティーの点で注意を払わなければならない画像形成作業については、予め、ユーザの登録を行って、管理者が、登録されたユーザに対して、使用できる動作モードを限定する設定ができるので、セキュリティが確保され、さらには、セキュリティーの点から懸念が残る画像形成作業については、ユーザの特定に有効な証拠能力の高い情報と、関係する作業記録が保存される。
【図面の簡単な説明】
【００５５】
【図１】画像形成装置の概念図である。
【図２】画像形成装置の制御関係を示すブロック図である。
【図３】ユーザ登録手段の流れを示すフローチャートである。
【図４】使用許可する動作モードを決定する流れを示すフローチャートである。
【図５】加工前の認証情報を保存する流れを示すフローチャートである。
【図６】特定作業の記録の削除を禁止する流れを示すフローチャートである。
【符号の説明】
【００５６】
１  原稿読み取り手段
２Ｙ、２Ｍ、２Ｃ、２Ｋ  画像書き込み手段
３Ｙ、３Ｍ、３Ｃ、３Ｋ  画像形成手段
４  画像転写手段
５  定着手段
６  反転排紙手段
７  再給紙手段
８  給紙手段
９  入力操作手段
Ａ  認証情報入力手段
Ｃ１  制御手段
Ｍ１  メモリ
Ｔ１  第１通信手段
Ｔ２  第２通信手段
【図１】
2005345860.tif 000003
【図２】
2005345860.tif 000004
【図３】
2005345860.tif 000005
【図４】
2005345860.tif 000006
【図５】
2005345860.tif 000007
【図６】
2005345860.tif 000008